(57)【要約】【課題】便座の上面や便蓋の裏面等をも含めて十分に清掃され、その際、洗浄水は便座の上面に滞留することなくボウル部内へとスムーズに排水除去されて、便器本体の周辺を汚したり便座使用時に不快を感じたりすることのない衛生的な便器洗浄構造を提供する。【解決手段】便器本体１のボウル部２の開口３が便座４を介して便蓋５で閉じられた状態で、同ボウル部２内に洗浄水が噴出されて洗浄が行われる便器洗浄構造において、便座４の上面４ａが内側下方へと傾斜してその内周縁部４ｂはボウル部２の開口３の内縁３１よりも内側に突出し、同便座４の高位置となる上面４ａの外側部分に便蓋５の外周縁部５ａが覆い被さって閉じられるようになした。【選択図】図１
2008025214.tif 000002
【特許請求の範囲】
【請求項１】
便器本体のボウル部の開口が便座を介し便蓋で閉じられた状態で、同ボウル部内に洗浄水が噴出されて洗浄が行われる便器洗浄構造であって、便座の上面が内側下方へと傾斜してその内周縁部はボウル部の開口の内縁よりも内側に突出し、同便座の高位置となる上面外側部分に便蓋の外周縁部が覆い被さって閉じられるようになした便器洗浄構造。
【請求項２】
便蓋の外周縁部に周壁片を垂設してその下端に軟質パッキンを設け、この軟質パッキンが便座の上面外側部分に当接して密閉されるようになしたことを特徴とする請求項１記載の便器洗浄構造。
【請求項３】
便座の上面に撥水加工が施されていることを特徴とする請求項１又は２記載の便器洗浄構造。
【発明の詳細な説明】
【技術分野】
【０００１】
本願発明は、便器本体のボウル部の開口が便座を介し便蓋で閉じられた状態で、同ボウル部内に洗浄水が噴出されて洗浄が行われる便器洗浄構造に関するものである。
【背景技術】
【０００２】
従来から、図３に示すように、便器本体１のボウル部２の開口３が便座４を介し便蓋５で閉じられた状態で、同ボウル部２内に洗浄水Ｗが噴出されて洗浄が行われる便器洗浄構造は知られている（特開２０００−１４４８４６号公報参照）。この場合、洗浄水Ｗとして水、洗剤、酸性水、次亜塩素酸等がノズル１０から吐出され、これにより、便器本体１のボウル部２内に強固に付着した汚物も表面から剥離し、かびや水垢等も清掃されるとされている。また、汚物洗浄水が流れない部分や便座４或いは便蓋５に向けて洗浄水Ｗを吐出することにより、この部分に付着した汚れも清掃されるとされている。
【特許文献１】特開２０００−１４４８４６号公報
【発明の開示】
【発明が解決しようとする課題】
【０００３】
しかしながら、上記従来例である便器洗浄構造においては、便座４や便蓋５に向けて洗浄水Ｗを吐出して清掃した場合、便座４上に洗浄水Ｗが滞留し易く、この洗浄水Ｗがボウル部２外に漏れ出て便器本体１の周辺を汚してしまうという問題があった。また、便座４上に滞留する洗浄水Ｗが乾かないと、次の使用で着座した際に不衛生的で不快を感じるという問題もあった。
【０００４】
本願発明は、上記背景技術に鑑みてなされたものであり、その課題は、便座の上面や便蓋の裏面等をも含めて十分に清掃され、その際、洗浄水は便座の上面に滞留することなくボウル部内へとスムーズに排水除去されて、便器本体の周辺を汚したり便座の使用時に不快を感じたりすることのない衛生的な便器洗浄構造を提供することである。
【課題を解決するための手段】
【０００５】
上記課題を解決するために、本願請求項１記載の発明は、便器本体のボウル部の開口が便座を介し便蓋で閉じられた状態で、同ボウル部内に洗浄水が噴出されて洗浄が行われる便器洗浄構造であって、便座の上面が内側下方へと傾斜してその内周縁部はボウル部の開口の内縁よりも内側に突出し、同便座の高位置となる上面外側部分に便蓋の外周縁部が覆い被さって閉じられるようになしている。
【０００６】
また、本願請求項２記載の発明は、請求項１記載の便器洗浄構造において、便蓋の外周縁部に周壁片を垂設してその下端に軟質パッキンを設け、この軟質パッキンが便座の上面外側部分に当接して密閉されるようになしたことを特徴としている。
【０００７】
また、本願請求項３記載の発明は、請求項１又は２記載の便器洗浄構造において、便座の上面に撥水加工が施されていることを特徴としている。
【発明の効果】
【０００８】
本願請求項１記載の発明である便器洗浄構造においては、便座を介し便蓋で開口が閉じられたボウル部内に洗浄水が噴出されて、ボウル部の内面だけでなく便座の上面や便蓋の裏面等をも含めて十分に清掃され、その際、洗浄水は便座の上面に滞留することなくボウル部外に漏れ出ることもなくボウル部内へと支障無くスムーズに排水除去されて、便器本体の周辺を汚したり便座に着座した際に不快を感じたりすることが防止され、衛生的に優れたものとなる。
【０００９】
また、本願請求項２記載の発明である便器洗浄構造においては、特に、便座の上面と便蓋の裏面との間に周壁片及び軟質パッキンの高さ分に相当する間隔が確保されて、この間隔のスペース内部に行き渡る洗浄水により確実に清掃され、その際、軟質パッキンが便座の上面外側部分に当接して密閉されるので、洗浄水のボウル部外への漏出は確実に防止される。
【００１０】
また、本願請求項３記載の発明である便器洗浄構造においては、特に、便座の上面に撥水加工が施されているので、洗浄水は便座の上面に滞留することなくボウル部内へとよりスムーズに排水除去され、同便座の上面の乾きも早くなる。
【発明を実施するための最良の形態】
【００１１】
図１、２は、本願請求項１〜３の全てに対応した一実施形態を示している。この実施形態の便器洗浄構造は、便器本体１のボウル部２の開口３が便座４を介し便蓋５で閉じられた状態で、同ボウル部２内に洗浄水Ｗが噴出されて洗浄が行われるものである。この便器洗浄構造において、便座４の上面４ａが内側下方へと傾斜してその内周縁部４ｂはボウル部２の開口３の内縁３１よりも内側に突出し、同便座４の高位置となる上面４ａの外側部分に便蓋５の外周縁部５ａが覆い被さって閉じられるようになっている。
【００１２】
この実施形態の便器洗浄構造では、便蓋５の外周縁部５ａに周壁片６を垂設してその下端に軟質パッキン７を設け、この軟質パッキン７が便座４の上面４ａの外側部分に当接して密閉されるようになっている。また、この実施形態の便器洗浄構造では、便座４の上面４ａに撥水加工が施されてもいる。
【００１３】
以下、この実施形態の便器洗浄構造をより具体的詳細に説明する。この実施形態の便器洗浄構造は、図２に示すように、着座式の洋式便器に係るものである。便器本体１は合成樹脂製或いは陶器製であり、その内部に上方に開口３を有するボウル部２が一体に形成されている。ボウル部２の底部分には汚物排出用の水が溜め置かれるものであり、その後端部分にはターントラップ構造の排出部８が付設され、この排出部８から前記汚物排出用水及び洗浄水と共に汚物は排出除去される。
【００１４】
便器本体１の後端部上には軸部９が設けられ、便座４及び便蓋５は同軸部９で回動自在に軸支されている。便座４及び便蓋５はいずれも前端側が上下に起倒されるもので、倒状態では便座４が便器本体１の開口上縁部分上に載置されて便蓋５はその上からボウル部２の開口３を覆い閉じ、起状態では便蓋５が開けられて便座４は起立される。便器本体１のボウル部２の開口３が便座４を介し便蓋５で閉じられた状態で、同ボウル部２内に洗浄水Ｗが噴出されて洗浄が行われるものである。
【００１５】
この場合、便器本体１のボウル部２内には後方からノズル１０が突設されており、洗浄水Ｗとして水、洗剤、酸性水、次亜塩素酸等が同ノズル１０から吐出される。ノズル１０から吐出された洗浄水Ｗは便器本体１のボウル部２内に充満され、これにより、便器本体１のボウル部２内に強固に付着した汚物も表面から剥離し、かびや水垢等も清掃され、通常の汚物洗浄水が流れない部分や便座４或いは便蓋５の汚れも清掃される。ノズル１０は清掃専用のもので進退動作されるものであり、不要時には邪魔にならないよう便器本体１のボウル部２内から退去される。なお、ノズル１０は局部洗浄用のものが兼用されてもよいが、この場合は、単なる水を洗浄水Ｗとして用いることが望ましい。
【００１６】
図１に示すように、便器本体１の開口上縁部分には、内方へ略水平に突出する上辺部１ａとこの上辺部１ａの内側端縁から垂下する内縦辺部１ｂとで覆われた流路用リム１１が一体に形成されており、便器本体１のボウル部２の開口３は同流路用リム１１で囲まれることになる。流路用リム１１には汚物洗い流し用の洗浄水が周方向に旋回され、この洗浄水は渦巻き状になって便器本体１のボウル部２内面を伝い流下される。これにより、ボウル部２内面が汚物洗い流し用の洗浄水で洗浄されながら、汚物は同洗浄水と共に前記排出部８から排出除去される。
【００１７】
前記流路用リム１１の上辺部１ａ上は略水平で平坦であり、この上辺部１ａ上に便座４が着脱自在に載置される。便座４は扁平リング状で合成樹脂にて形成され、便器本体１のボウル部２の開口３全周にわたるものであり、その下面に緩衝用の脚部１２が付設されていて、この脚部１２を介して流路用リム１１の上辺部１ａ上に載置されるものである。この場合、脚部１２は柔軟な防水材料でなり、この脚部１２をボウル部２の開口３全周にわたって設けることで、洗浄水Ｗのボウル部２外への漏出が確実に防止される。
【００１８】
また、便座４の上面４ａは平滑で内側下方へと傾斜するように形成されており、この傾斜角度が１°以上に設定され、同上面４ａにはフッ素・シリコン、フラクタル構造等の撥水加工が施されている。そして、便座４の内周縁部４ｂはボウル部２の開口３の内縁３１（前記流路用リム１１の上辺部１ａと内縦辺部１ｂとの外角部分）よりも内側に突出しており、この突出寸法が１ｍｍ以上に設定され、同便座４の上面４ａに降りかかった洗浄水Ｗは内周縁部４ｂから下面側に回ることなく流下される。
【００１９】
便蓋５は平板状で合成樹脂にて形成され、その外周縁部５ａに下方へ折曲した周壁片６が一体に垂設されており、この周壁片６の下端には合成樹脂、ゴム等の柔軟な防水材料でなる軟質パッキン７が付設されている。そして、便蓋５が閉じられると、軟質パッキン７は便座４の上面４ａの外側部分に当接してこの外側部分を密閉し、高位置となる同外側部分に便蓋５の外周縁部５ａが覆い被さって閉じられる。この密閉状態でノズル１０から洗浄水Ｗが噴出されると、この洗浄水Ｗは便器本体１のボウル部２内に充満される。
【００２０】
したがって、この実施形態の便器洗浄構造においては、便座４を介し便蓋５で開口３が閉じられたボウル部２内に洗浄水Ｗが噴出されて充満されることにより、ボウル部２の内面だけでなく便座４の上面４ａや内周縁部４ｂ、便蓋５の裏面等をも含めた全体が十分に清掃される。しかも、その際、洗浄水Ｗは便座４の傾斜した上面４ａで滞留することなくボウル部２外に漏れ出ることもなく、同傾斜に沿ってボウル部２内へと支障無くスムーズに排水除去され、便器本体１の周辺を汚したり便座４に着座した際に不快を感じたりすることが防止されて、衛生的で使い心地の良好なものとなる。
【００２１】
また、この実施形態の便器洗浄構造においては、便蓋５を閉じた際に、便座４の上面４ａと同便蓋５の裏面との間に周壁片６及び軟質パッキン７の高さ分に相当する間隔が確保されるので、この間隔のスペース内部に行き渡る洗浄水Ｗによって確実に清掃される。しかも、その際、軟質パッキン７が便座４の上面４ａの外側部分に当接してこの外側部分は密閉され、洗浄水Ｗのボウル部２外への漏出は確実に防止される。更には、便座４の上面４ａに撥水加工が施されているので、洗浄水Ｗはこの便座４の上面４ａに滞留することなく傾斜に沿ってボウル部２内へとよりスムーズに排水除去され、同便座４の上面４ａの乾きが早くなってより衛生的なものとなる。
【図面の簡単な説明】
【００２２】
【図１】本願発明の一実施形態である便器洗浄構造の要部を示す断面図。
【図２】同便器洗浄構造の全体を示す概略断面図。
【図３】従来例である便器洗浄構造の全体を示す概略断面図。
【符号の説明】
【００２３】
１  便器本体
２  ボウル部
３  開口
３１  内縁
４  便座
４ａ  上面
４ｂ  内周縁部
５  便蓋
５ａ  外周縁部
６  周壁片
７  軟質パッキン
Ｗ  洗浄水
【図１】
2008025214.tif 000003
【図２】
2008025214.tif 000004
【図３】
2008025214.tif 000005